(57)【要約】      （修正有）【課題】軽量のネズミの捕獲を容易にし、コンパクトの構成で捕獲設置場所が広範囲に出来るネズミ捕獲器を提供する。【解決手段】ブランコ２、揺動板３、可動アーム４、及び、遮蔽板７を含んでネズミ捕獲器を構成する。この構成において、捕獲器本体に進入したネズミがブランコに載ることによって支点Ａ１０を中心に回転自在であるシャフトＡ６を介して皿秤と梃子の原理により揺動板３を揺動持ち上げ、可動アーム４と揺動板３との噛み合いが離脱する。その結果可動アーム４と遮蔽板７の噛み合わせが離脱、支点Ｂ９を中心に遮蔽板の自然落下により閉止する機能を有する。遮蔽板７の落下と同時に閂丸棒８落下、捕獲器本体１の内側からネズミの脱出を不可能とする。【選択図】図２
0003162931.tif 000002
【実用新案登録請求の範囲】
【請求項１】
左右に開口部のある断面四角形の筒状体と、上端部が前記開口部の上端部に回転可能に取り付けられて、前記左右開口部のそれぞれに配置された一対の遮蔽板と、ブランコ載り台と、このブランコ載り台の両端部に設けられた一対の支柱を、を有し、この一対の支柱の上端部が、前記筒状体の上部開口部に回転可能に取り付けられて、前記筒状体内に配置されたブランコと、前記ブランコ支柱の、上端の揺動板載せ台に載せられて、筒状体の上部開口部に配置された揺動板と、揺動板及び、遮蔽板とを連結している可動アーム、とを備えたネズミ捕獲器であって、可動アームと、遮蔽板との噛み合わせと、可動アームと揺動板との噛み合わせによって、前記遮蔽板の開放状を保持し、前記筒状体内の、ブランコ載り台に、ネズミが載ることによって、揺動板載せ台が揺動して持ち上げられ、左右の可動アームと、揺動板との噛み合わせが外れ、遮蔽板に対する可動アームとの開放保持機能が無くなり、前記筒状体の遮蔽板が閉塞方向に回転し、筒状体の開口を遮蔽する機構を有するネズミ捕獲器。
【請求項２】
請求項１記載のネズミ捕獲器であって  ブランコの揺動で、可動アームの開放保持機能が無くなり、左右の遮蔽板が落下すると、遮蔽板上部に載っている閂丸棒が、捕獲器本体先端部の、両壁に彫られたＵ溝の中に落下、遮蔽板を内側から、圧力での開放を防止するネズミ捕獲器。
【請求項３】
請求項１、又は請求項２の、上部開口部の空間においては、ブランコが揺動回転して  揺動板載せ台と、捕獲器本体蓋とが、接触することなく揺動する間隔を有すネズミ捕獲器。
【請求項４】
請求項  １、２又は３  記載のネズミ捕獲器であって、ステンレス、アルミ、真鍮等の非鉄金属で製作、厨房、床下、屋外等の水分の多い場所に設置しても、錆、腐食から保護し、機能を損なわない材質を使用したネズミ捕獲器。
【考案の詳細な説明】
【技術分野】
【０００１】
軽量のネズミの捕獲を容易にし、コンパクトの構成で捕獲設置場所が広範囲に出来るネズミ捕獲器に関する。
【背景技術】
【０００２】
特許文献１または２に開示された捕獲器は、両端部に入口を有する筒状の捕獲器内をネズミ等の小獣類が通過し、底板付近に仕掛けられた踏み板が押し下されると、係止部材が外れて両入口の扉が閉じ、ネズミ等を捕獲器内に閉じ込める仕組みを備えている。
【０００３】
従来の技術によるネズミ捕獲器の場合、それぞれ入口側に傾倒するように付勢された一対の踏板を設けたり、両扉を開放状態に係止する一対の係止部材を踏み板に対して回動可能に取付ける必要があり、非常に複雑な構造を備えている、このため製造コストがかさむことになり、比較的広い店舗等に多数配置することが困難となる。
従来の技術におけるネズミ捕獲器の場合、構造が複雑で有る分、動作不良が生じやすく、設置に際しても面倒なセッテング操作を強いられることとなる。
【０００４】
従来の技術におけるネズミ捕獲器の場合、設置時には捕獲器の両端が開放されているので、ネズミの体長や運動能力、機敏性によっては逃げられる可能性もある、従来の技術におけるネズミ捕獲器の場合、特に問題なのは、クマネズミのように日本の在来種のネズミと比較して、体重が軽量なネズミでは、ネズミが捕獲器内に侵入したことを検知できずに、捕獲できない点にある。
【先行技術文献】
【特許文献】
【０００５】
【特許文献１】実用新案登録  ３００７４８２  号
【特許文献２】特開  ２００５−３４１８５２  号
【考案の開示】
【考案が解決しようとする課題】
【０００６】
本考案が解決しょうとする課題は、従来の技術におけるネズミ捕獲器が内包する課題を解決するために開発されたものであり、構造が単純で、操作性、捕獲性、低コスト性に優れ、クマネズミのように、日本の在来種のネズミと比較して、体重が軽量なネズミであっても、ネズミが捕獲器内に侵入したことを検知して、確実に捕獲することである。
【課題を解決するための手段】
【０００７】
左右に開口部のある断面四角形の筒状体と、上端部が前記開口部の上端部に回転可能に取り付けられて、前記左右開口部のそれぞれに配置された一対の遮蔽板と、ブランコ載り台と、このブランコ載り台の両端部に設けられた一対の支柱を、を有し、この一対の支柱の上端部が、前記筒状体の上部開口部に回転可能に取り付けられて、前記筒状体内に配置されたブランコと、前記ブランコ支柱の、上端の揺動板載せ台に載せられて、筒状体の上部開口部に  配置された揺動板と、揺動板及び、遮蔽板とを連結している可動アーム、とを備えたネズミ捕獲器であって、可動アームと、遮蔽板との噛み合わせと、可動アームと揺動板との噛み合わせによって、前記遮蔽板の開放状を保持し、前記筒状体内の、ブランコ載り台に、ネズミが載ることによって、揺動板載せ台が揺動して持ち上げられ、左右の可動アームと、揺動板との噛み合わせが外れ、遮蔽板に対する可動アームとの開放保持機能が無くなり、前記筒状体の遮蔽板が閉塞方向に回転し、筒状体の開口を遮蔽する機構を有するネズミ捕獲器。
【０００８】
請求項  １  記載のネズミ捕獲器であって  ブランコの揺動で、可動アームの開放保持機能が無くなり、左右の遮蔽板が落下すると、遮蔽板上部に載っている閂丸棒が、捕獲器本体先端部の、両壁に彫られたＵ溝の中に落下、遮蔽板を内側から、圧力での開放を防止する機構。
【０００９】
前記筒状板の、上部開口部の空間においては、ブランコが揺動回転しても、揺動板載せ台と、捕獲器本体蓋とが、接触することなく揺動する間隔を有する。
【００１０】
請求項  １、２及び３  記載のネズミ捕獲器であって、ステンレス、アルミ、真鍮等の非鉄金属で製作、厨房、床下、屋外等の水分の多い場所に設置しても、錆、腐食から保護し、機能を損なわない材質を使用したネズミ捕獲器。
【考案の効果】
【００１１】
本考案に係るネズミ捕獲器の、構造が単純であり、操作性、捕獲性、低コスト性に優れ、クマネズミのように、日本の在来種のネズミと比較して、体重が軽量なネズミであっても、ネズミが捕獲器内に侵入したことを検知して、確実に捕獲する効果を有する。       
【図面の簡単な説明】
【００１２】
【図１】本考案ネズミ捕獲器  基本構造（静止時）   断面図
【図２】本考案ネズミ捕獲器  基本構造(揺動時）    断面図
【図３】本考案ネズミ捕獲器  基本構造(開口部）    正面図
【図４】本考案ネズミ捕獲器  基本構造（静止時）   完成図
【考案を実施するための形態】
【００１３】
図１  基本構造、本考案に係るネズミ捕獲器は、捕獲器本体  １、捕獲器本体蓋  １４、ブランコ  ２、揺動板  ３、可動アーム  ４、遮蔽板  ７、を含んで構成される。本考案にネズミ捕獲器の基本構造は次の通りである、捕獲器本体  1  は上部開口部にブランコ  ２  の設置可能な空間を保ち、捕獲器本体  １  に捕獲器本体蓋  １４  を取り付け、開口部を設ける、上部開口部は、ブランコ  ２  が揺動しても、揺動板載せ台１２  が捕獲器本体蓋  １４  に触れない空間を保ち、揺動をスムーズにする。
ブランコ  ２  はネズミ載り台  １１  ブランコ支柱  １３  支点Ａ  １０  及び揺動板載せ台１２  を有し、ブランコ支柱  １３  と捕獲器本体  １  の支点Ａ  １０  にシャフトＡ  ６  と連結し、支点Ａ  １０  を中心に回転自在である。
揺動板  ３  は、揺動板載せ台  １２  に載り、捕獲器本体蓋  １４  の上部に載っている可動アーム  ４  との片方に噛み合わせを有し、可動アームのもう片方は遮蔽板  ７の先端部と噛み合わせを有し、開放を保持する。
遮蔽板  ７  は、捕獲器本体  １  の支点Ｂ  ９  とシャフトＢ  ５  と連結し、支点Ｂ  ９  を中心に回転自在である。
【００１４】
揺動板  ３  の形状は巾  １０ミリ、長さ  ７０ミリ、アルミの平板で両先端を下側に、５ミリのＬ字型に曲げ加工をし、可動アーム  ４  との噛み合わせ部分を有し、可動アーム  ４  の形状は巾  １０ミリ、長さ  １５０ミリ、アルミ平板で揺動板  ３  との噛み合わせ側は、上向きＬ字型に、５ミリ曲げ加工し、遮蔽板  ７  との噛み合わせ側は、下向きＬ字型に、５ミリ曲げ加工し、遮蔽板  ７  と可動アーム  ４との噛み合わせは、遮蔽板  ７  の先端を、水平より  １０ミリ上向きになるように噛み合わせ、先端が水平より上部に位置することにより、落下する力で遮蔽板  ７  と、可動アーム  ４  との噛み合わせの引っかかりが可能となり、開放を保持する。
【００１５】
図１  基本構造、静止時においては、ブランコ  ２  の揺動板載せ台  １２  に揺動板  ３  が静止状態のまま載せられ、捕獲器本体蓋  １４  の上部に載っている、
可動アーム  ４  の片方と噛み合い、もう片方の可動アーム  ４  は遮蔽板  ７  の先端部との噛み合いで、遮蔽板  ７  を開放状態に保持する機能を有する。            
【００１６】
図１  基本構造、静止時の遮蔽板  ７  開放状態の、閂丸棒 8 の位置は、遮蔽板の上部に有り、捕獲器本体  １  両先端部の両壁上端部から巾５ミリ、長さ３０ミリに彫られた
溝の先端部が、遮蔽板  ７  の上部より上に有り、遮蔽板  ７  上部に載っている直径４ミリの閂丸棒８が、その溝の中に配置され、遮蔽板  ７  の閉塞と同時に落下する状態を整えている。
【００１７】
図２  基本構造、揺動時の機能では、ブランコ  ２  のネズミ載り台  １１  にネズミが
載ることによってブランコ  ２  が揺動している状態になる、ネズミがブランコ載り台  １１に載ると、捕獲器本体  １  とブランコ支柱  １３  の支点Ａ  １０  を中心にブランコ  ２  が回転、  ブランコ  ２  の上部、ブランコ載せ台に載っている揺動板  ３  が揺動することにより持ち上げられ、揺動板  ３  と、可動アーム  ４  とが接している噛み合わせが離脱し、さらに可動アーム  ４  と、遮蔽板  ７  先端部とが接している噛み合わせが、揺動板  ３と可動アーム  ４  の離脱により、可動アーム  ４  が遮蔽板  ７  の先端方向にスライド移動、離脱により遮蔽板が支点Ｂ  ９  を中心として自然落下により閉止機能を有する。
【符号の説明】
【００１８】
1           捕獲器本体
2           ブランコ
3           揺動板
4           可動アーム
5           シャフト  B
6           シャフト  A
7           遮蔽板
8           閂  丸棒
9           支点  B
10           支点  A
11           ネズミ載り台
12           揺動板乗せ台
13           ブランコ  支柱
14           捕獲器本体  蓋
【図１】
0003162931.tif 000003
【図２】
0003162931.tif 000004
【図３】
0003162931.tif 000005
【図４】
0003162931.tif 000006